(57)【要約】【課題】ＡＶ機器や家電製品等に付属する機器に対する拭き取りなどの掃除を、煩わしさを意識させずに、行うことを可能とするリモコン装置を提供することを目的とする。【解決手段】ＡＶ機器や家電製品等に付属する機器を離れた場所から遠隔操作するリモコン装置１０であって、リモコン装置１０は、リモコン本体１１と、このリモコン本体１１に着脱自在に装着された拭き取り部であるワイピングシート１２〜１６を備えるリモコン装置である。【選択図】図１
2010141627.tif 000002
【特許請求の範囲】
【請求項１】
機器を離れた場所から遠隔操作するリモコン装置であって、リモコン装置は、リモコン本体と、このリモコン本体に着脱自在に装着された拭き取り部を備えるリモコン装置。
【発明の詳細な説明】
【技術分野】
【０００１】
本発明は、ＡＶ機器や家電製品等に付属する機器を離れた場所から遠隔操作する装置（以降、リモコン装置）に関するものである。
【背景技術】
【０００２】
テレビやモニタ等のディスプレイ画面を有する装置の表示部分には、画面を保護や輝度調整の為に保護ガラスやフィルタが備え付けられるが、指紋や埃が付着しやすく、そのため、拭き取りなどの掃除が必要になる。
【０００３】
また、記録再生装置のメディア（ＣＤやＤＶＤ等）にも指紋や埃が付着した場合、エラーの原因となる為、同様に拭き取りなどの掃除が必要になる。
【０００４】
ここで、汚れを綺麗に取り除くにはワイピングクロス等を別途用意して汚れを拭き取る方法が一般的である（例えば、特許文献１参照）。
【特許文献１】特開平４−２８２１２３号公報
【発明の開示】
【発明が解決しようとする課題】
【０００５】
しかしながら上記の従来の方法では、ワイピングクロスを、別途、準備することが必要なことから、拭き取りを行おうとした際に、手元にワイピングクロスがなく、拭き取りを行うことに煩わしさが発生したりする場合があった。
【０００６】
本発明はこのような現状に鑑みなされたもので、煩わしさを意識させずに、拭き取りなどの掃除を行うことを可能とするリモコン装置を提供することを目的とする。
【課題を解決するための手段】
【０００７】
上記目的を実現するために本発明のリモコン装置は、機器を離れた場所から遠隔操作するリモコン装置であって、リモコン装置は、リモコン本体と、このリモコン本体に着脱自在に装着された拭き取り部を備えるものである。
【発明の効果】
【０００８】
本発明によれば、常に手近に存在するリモコン装置を使って手軽に拭き取りが行なえるようになるため、煩わしさを意識せずに、拭き取りなどの掃除を行うことが可能となる。
【発明を実施するための最良の形態】
【０００９】
以下、本発明の一実施の形態によるリモコン装置について図を用いて説明するが、本発明の実施の態様はこれに限定されるものではない。
【００１０】
図１は、本発明の一実施の形態によるリモコン装置として、テレビジョン受像機のリモコン装置を例に説明するための図であり、リモコン装置の概略構成を斜視図で示すものである。
【００１１】
図１に示すように本発明の一実施の形態によるリモコン装置１０は、リモコン本体１１と、リモコン本体１１に着脱自在に装着される拭き取り部であるワイピングシート１２〜１６と、を備える。なお図１においては、ワイピングシート１２〜１６はリモコン本体１１から取り外された状態を示している。
【００１２】
リモコン本体とワイピングシート１２〜１６との装着は、例えば面ファスナーとするなど、接着剤やテープなど、装着のための手段を別途、用意することなく着脱自在とすることが好ましい。着脱自在とすることで、ワイピングシート１２〜１６の拭き取り面が汚れた際の交換や、ふき取り対象に応じ、最適な拭き取り部の素材への交換が、容易に可能となる。
【００１３】
なお、ワイピングシート１２〜１６は、外側が拭き取り面となっており表面の材質は、極細繊維、編物、不織布、合成皮革等、拭き取りに適した素材を適宜、選択すれば良い。
【００１４】
図２は、本発明の一実施の形態によるリモコン装置における、面ファスナー２２、２３を用いた場合のリモコン本体１１の側面２１（リモコン本体１１の側面・底面のうちのいずれか）とワイピングシート２４（ワイピングシート１２〜１６のうちのいずれか）との装着の方法を説明するための模式図である。
【００１５】
リモコン本体１１の側面２１の面ファスナー２２は、表面がフック状に起毛されたもので、また、ワイピングシート２４の面ファスナー２３は、表面がループ状に密集して起毛されたものである。そしてこの面ファスナー２２、２３により、ワイピングシート２４はリモコン本体１１の側面２１に対し着脱自在に装着されることとなる。
【００１６】
そして、図３に、その動作を模式的に示すように、ワイピングシートを備えたリモコン装置１０により画面３１を拭き取ることが可能となる。
【００１７】
なお、図１には、リモコン本体１１の側面および底面の全ての面にワイピングシート１２〜１６が着脱自在となるように構成された例を示したが、これに限るものではなく、少なくとも一つの面にワイピングシートが着脱自在に装着されれば良い。
【００１８】
また、リモコン本体の、赤外線の発光部やセンサー部等、ワイピングシートの装着によって覆われては困る部分に対しては、例えば、ワイピングシートの該当する部分をカットするなどにより、弊害が生じないようにすれば良い。
【００１９】
また図４に、本発明の他の実施の形態によるリモコン装置４０の概略構成を斜視図で示す。図４（ａ）に示すリモコン装置４０は、リモコン本体１１に突出部４１を設け、その突出部４１の側面４１ａにワイピングシート４２を着脱自在に装着する構成のものである。このような構成とすることにより、ワイピングシート４２と例えば画面のような拭き取り対象との接触を確実なものとすることができる。
【００２０】
また、図４（ｂ）に示すリモコン装置５０は、リモコン本体１１に突出部４１を設け、その突出部４１の側面４１ａにワイピングシート４２を着脱自在に装着する構成とするとともに、突出部４１の内部には、クリーニング液注入孔４３を通じてクリーニング液を注入でき、そして注入されたクリーニング液は、スイッチ４４の操作により、ワイピングシート４２に染み出すように構成されている。このような構成により、拭き取り性能をさらに向上できる。
【００２１】
なお、以上の説明においては、ワイピングシートとリモコン本体との装着には面ファスナーを用いた例を示したが、着脱自在に装着できる構成であれば特にこれに限るものではなく、例えば、引っ掛け穴により装着する構成や自己吸着性を有する樹脂又はアクリル系又はシリコン系を素材とする接着シートとしても良い。
【００２２】
また、ワイピングシートの拭き取り面側は、極細繊維以外にも、編物、不織布、または合成皮革等を用いてもよい。また、ワイピングシートとして異なる素材のものを、リモコン本体の側面毎に異ならせて装着する構成でも良い。すなわち、例えば一方の側面は編物とし、他方の側面には、仕上げ用として極細繊維としても良い。
【産業上の利用可能性】
【００２３】
以上のように本発明は、拭き取り機能を備えるリモコン装置を提供する上で有用な発明である。
【図面の簡単な説明】
【００２４】
【図１】本発明の一実施の形態によるリモコン装置の概略構成を示す斜視図
【図２】本発明の一実施の形態によるリモコン装置における、面ファスナーを用いた場合のリモコン本体の側面とワイピングシートとの装着の方法を説明するための模式図
【図３】本発明の一実施の形態によるリモコン装置を用いての画面を拭き取る動作を模式的に示す図
【図４】本発明の他の実施の形態によるリモコン装置の概略構成を示す斜視図
【符号の説明】
【００２５】
１０、４０、５０  リモコン装置
１１  リモコン本体
１２〜１６、２４  ワイピングシート
２１  リモコン本体の側面
２２、２３  面ファスナー
４２  ワイピングシート
４３  クリーニング液注入穴
４４  スイッチ
【図１】
2010141627.tif 000003
【図２】
2010141627.tif 000004
【図３】
2010141627.tif 000005
【図４】
2010141627.tif 000006